(57)【要約】【課題】使用する投写表示装置として解像度が異なるものを使用する場合においても、信号処理装置で生成されるＯＳＤ画面を好適なサイズで表示できるようにする。【解決手段】映像信号処理装置４と投写表示装置６が長距離伝送可能なケーブル５で接続され、電源オンになると投写表示装置６の解像度情報がケーブル５を介して映像信号処理装置４に供給される。映像信号処理装置４はその解像度情報を受けると投写表示装置で投写する映像に対して適切な大きさのＯＳＤメニュー画面が表示されるように映像／ＯＳＤサイズ決定手段によりＯＳＤ表示サイズを決定する。その決定されたＯＳＤサイズになるようにＯＳＤメニュー画面のサイズ変更が行われ、表示すべき映像に重畳され投写表示装置に供給される。【選択図】図４
2013258451.tif 000002
【特許請求の範囲】
【請求項１】
映像信号発生手段と、ＯＳＤ画面生成手段と、ＯＳＤ画面生成手段で生成されたＯＳＤ画面の表示サイズを決定するＯＳＤサイズ決定手段と、映像信号発生手段からの映像信号にＯＳＤ画面を重畳するＯＳＤ重畳手段と、ＯＳＤ重畳手段の信号を出力するとともに外部からの信号を受信する信号送受信手段と、信号送受信手段で受信された外部からの制御信号を処理する制御信号処理手段とを有する信号処理装置と、
信号の受信および送信を行う通信送受信手段と、通信送受信手段によって受信された映像信号を受けて外部のスクリーン上に映像を投写する表示手段と、表示手段から解像度情報が供給され、前記解像度情報をコマンドとして処理するコマンド処理手段とを有する投写表示装置と、
前記信号処理装置と前記投写表示装置との間に配備され、デジタル映像伝送手段と、制御コマンド伝送手段とを有し、一端側が前記信号送受信手段に結合されるとともに他端側が前記通信送受信手段に結合され、信号の長距離伝送が可能なケーブルとを備え、
ＯＳＤ変更トリガーを受けると、前記コマンド処理手段は、前記解像度情報を通信送受信手段、ケーブル、信号送受信手段を介してＯＳＤサイズ決定手段に供給し、ＯＳＤサイズ決定手段は、映像発生手段から供給される映像に対して適正なサイズにＯＳＤを変更し、映像信号発生手段からの映像信号に重畳して投写表示装置に供給するようにしたことを特徴とする映像表示システム。
【請求項２】
前記ＯＳＤ変更トリガーは、前記信号処理装置と前記投写表示装置とが接続された時であることを特徴とする請求項１に記載の映像表示システム。
【請求項３】
前記ＯＳＤ変更トリガーは、前記信号処理装置と前記ケーブルによって接続される投写表示装置の変更であることを特徴とする請求項１に記載の映像表示システム。
【請求項４】
前記ケーブルは、さらにデジタル音声伝送手段と、インターネットプロトコル伝送手段とを備えることを特徴とする請求項１に記載の映像表示システム。
【発明の詳細な説明】
【技術分野】
【０００１】
本発明は、受信した映像信号を処理する信号処理装置と映像を投写表示する投写表示装置とを分離して構成した映像表示システムに関する。
【背景技術】
【０００２】
特許文献１は、信号処理装置と表示モニタとを分離して構成して映像表示受信システムを開示する。このシステムでは信号処理装置と表示モニタは、それぞれ独自のＯＳＤ（Ｏｎ  Ｓｃｒｅｅｎ  Ｄｉｓｐｌａｙ）画面を生成する第１、第２のＯＳＤ生成部を有する。リモコンからの操作に対応して、第１、第２のＯＳＤ生成部は互いに連携してＯＳＤ画面を生成し、入力した映像に重畳して表示モニタに表示する。
【先行技術文献】
【特許文献】
【０００３】
【特許文献１】特開２００９−１４１７４７号公報
【発明の概要】
【発明が解決しようとする課題】
【０００４】
本開示は、信号処理装置と長い距離を隔てた位置に配置された投写表示装置としてのプロジェクター（ＰＪ）とがケーブルで接続されるシステムにおいて、使用するＰＪとして解像度が異なるものを使用する場合においても、信号処理装置で生成されるＯＳＤ画面を好適なサイズで表示できるようにすることを目的とする。
【課題を解決するための手段】
【０００５】
本開示にかかる映像表示システムは、映像信号発生手段と、ＯＳＤ画面生成手段で生成されたＯＳＤ画面の表示サイズを決定するＯＳＤサイズ決定手段と、映像信号発生手段からの映像信号にＯＳＤ画面を重畳するＯＳＤ重畳手段と、ＯＳＤ重畳手段の信号を出力するとともに外部からの信号を受信する信号送受信手段と、信号送受信手段で受信された外部からの制御信号を処理する制御信号処理手段とを有する信号処理装置を備える。また、本開示にかかる映像表示システムは、信号の受信および送信を行う通信送受信手段と、通信送受信手段によって受信された映像信号を受けて外部のスクリーン上に映像を投写する表示手段と、表示手段から解像度情報が供給され、前記解像度情報をコマンドとして処理するコマンド処理手段とを有する投写表示装置とを備える。さらに、本開示の映像表示システムは前記信号処理装置と前記投写表示装置との間に配備され、デジタル映像伝送手段と、制御コマンド伝送手段とを有し、一端側が前記信号送受信手段に結合されるとともに他端側が前記通信送受信手段に結合され、信号の長距離伝送が可能なケーブルとを備える。そして、ＯＳＤ変更トリガーを受けると、前記コマンド処理手段は、前記解像度情報を通信送受信手段、ケーブル、信号送受信手段を介してＯＳＤサイズ決定手段に供給し、ＯＳＤサイズ決定手段は、映像発生手段から供給される映像に対して適正なサイズにＯＳＤを変更し、映像信号発生手段からの映像信号に重畳して投写表示装置に供給するようにしたことを特徴とする。
【発明の効果】
【０００６】
本開示にかかる映像表示システムでは、解像度が異なるＰＪを使用しても、その解像度情報を信号処理装置にケーブルを介して供給し、信号処理装置がＰＪの解像度を基にして適切なサイズのＯＳＤを映像信号に重畳してＰＪに供給できるので、ユーザーが特別な操作をしなくても視認性が良好なＯＳＤ画面表示が得られるという効果がある。
【図面の簡単な説明】
【０００７】
【図１】実施の形態にかかる映像表示システムの模式図
【図２】実施の形態にかかるＯＳＤ表示方法を示す模式図
【図３】実施の形態にかかるＯＳＤ表示状態を示す図
【図４】実施の形態にかかる映像表示システムのブロック図
【図５】実施の形態にかかるＯＳＤサイズ決定シーケンスを示す図
【図６】実施の形態にかかる映像表示シーケンスを示す図
【発明を実施するための形態】
【０００８】
以下、本発明を実施した映像表示システムの一つの実施の形態を、図面を参照しつつ説明する。
（実施の形態）
図１は、本発明の実施の形態にかかる映像表示システムを示す模式図である。
【０００９】
かかる映像表示システムは、例えば大ホールや会議室にプレゼンテータが天井に吊り下げられた投写表示装置であるプロジェクター（「ＰＪ」とも言う）や設置台に設置されたＰＪからプレゼンの映像をスクリーンに投写するような状況で使用できる。
【００１０】
図１において、大ホール１にはパーソナルコンピュータ（ＰＣ）２からの信号がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）の信号ライン３を介して入力される映像信号処理装置４が設置されている。かかる映像信号処理装置４は長距離の信号伝送が可能なケーブル５によって、例えばケーブルの長さで１００ｍ程離れた同ホールの天井に吊り下げ固定されたＰＪ６と接続される。尚、ここでは信号ライン３をＨＤＭＩとしたが、Ｄ−ＳＵＢやＤｉｓｐｌａｙ  Ｐｏｒｔ、Ｖｉｄｅｏケーブルでもかまわない。
【００１１】
これによって、映像信号処理装置４からの映像信号がケーブル５によってＰＪ６に伝送され、ＰＪ６はその映像信号から投写映像を生成しスクリーン７上に拡大投写する。
【００１２】
映像信号処理装置４は、その内部にＯＳＤ（Ｏｎ  Ｓｃｒｅｅｎ  Ｄｉｓｐｌａｙ：オン・スクリーン・ディスプレイ）発生手段を備え、図２に示すように映像信号処理装置４の映像信号発生手段からの映像Ｖ１に映像信号処理装置４に関する情報のＯＳＤメニュー表示画面Ｖ２が重畳される。このようにしてＯＳＤが重畳された映像Ｖ３は、ケーブル５を介してＰＪ６に伝送される。ＰＪ６はその解像度がＸＧＡ（１０２４ピクセル×７６８ピクセル）であるとすると、図３（ａ）に示すようにＯＳＤはその解像度でＯＳＤ表示が視認し易い大きさになるようＯＳＤサイズが決められる。
【００１３】
ところで、同じ大ホール１内で、上記のＰＪ６とは別のＰＪ８を載置台に設置し、前記ケーブル５によって映像信号処理装置４と接続し、ＰＣ２の信号をＰＪ８によって比較的近距離からスクリーンに投写することもある。
【００１４】
このＰＪ８の解像度がＷＵＸＧＡ（１９２０ピクセル×１２００ピクセル）であるとすると、ＯＳＤ画面のサイズを変更しない場合、ＰＪ８でＯＳＤを重畳した映像を投写すると図３（ｂ）のようにＯＳＤ画面表示が投写画面に比べて非常に小さくなるため、ＯＳＤ内の文字が読めないなど、操作性、視認性が悪くなる。
【００１５】
このため、本開示では、後述する方法によって、ユーザーは使用するＰＪの解像度を意識することなく、自動的にＯＳＤ画面を適切な大きさで表示する。
【００１６】
以下、本実施形態の詳細を示す図４のブロック図を参照しつつ説明する。
【００１７】
図４において、は映像信号処理装置４には映像信号発生手段４１が設けられる。この映像信号発生手段４１は、映像信号処理装置４の外部にあるＰＣやＤＶＤ再生装置などの信号源（図示せず）からの信号が入力され、ユーザーがＰＪのリモコン操作によって映像信号発生手段４１に入力する信号源の選択出力が可能となっている。
【００１８】
映像信号発生手段４１によって選択された映像信号は、映像の大きさをスケーリングするスケーラからなる映像リサイズ手段４２に入力できるように適正化されて、映像リサイズ手段４２に入力される。
【００１９】
映像リサイズ手段４２は後述する制御信号によって映像信号発生手段４１からの映像のサイズを変更する。４３はＯＳＤメニュー生成手段であって、映像信号処理装置４に関する種々の情報をメニュー画面として生成し、投写映像に重畳して表示するＯＳＤメニュー画面を生成する。
【００２０】
ＯＳＤメニュー生成手段４３で生成されたＯＳＤメニュー画面はＯＳＤメニュー表示サイズ変更手段４４によって表示サイズの変更がなされる。４５はＯＳＤメニュー重畳手段であって、映像リサイズ手段４２からの映像信号にＯＳＤメニュー表示サイズ変更手段４４からのＯＳＤ信号を重畳し、信号変換手段４６に出力する。
【００２１】
信号変換手段４６は、ＯＳＤメニュー重畳手段４５からの信号をケーブル５で伝送するために符号化し、信号送受信手段４７へ出力する。信号送受信手段４７は信号変換手段４６からの信号をベースバンド信号としてケーブル５に出力する。
【００２２】
一方、信号送受信手段４７はケーブル５を介して伝送されてきた信号を受信するとそれを信号変換手段４６に出力する。信号変換手段４６はその信号を復号し、コマンド処理手段４８へ出力する。コマンド処理手段４８は信号変換手段４６から得られる信号にあるコマンドを処理して、映像／ＯＳＤサイズ決定手段４９にコマンドを供給する。
【００２３】
映像／ＯＳＤサイズ決定手段４９は入力されるコマンドに従って映像リサイズ手段４２に制御信号を送り、これによって映像リサイズ手段４２は映像信号発生手段４１からの映像信号に対してリサイズ処理を行う。
【００２４】
ケーブル５は、デジタル映像伝送手段５１、デジタル音声伝送手段５２、インターネットプロトコル伝送手段５３、およびシリアル制御コマンド伝送手段５４を一体化して伝送する１本のケーブルからなり、信号の長距離（例えばケーブルの長さで１００ｍ）伝送が可能なケーブルである。
【００２５】
デジタル映像伝送手段５１は、信号送受信手段４７から出力されるデジタル映像信号の伝送を司る。デジタル音声伝送手段５２は、信号送受信手段４７から出力されるデジタル音声信号の伝送を司る。インターネットプロトコル伝送手段５３は、信号送受信手段４７から出力されるインターネットプロトコルの伝送を司る。
【００２６】
シリアル制御コマンド伝送手段５４は、信号送受信手段４７または後述する通信送受信手段６１から出力される制御用のコマンドの伝送を司る。
【００２７】
ＰＪ６は、ケーブル５からの信号が入力される通信送受信手段６１と、通信送受信手段６１によって受信された信号を信号符号化／復号化手段６２に供給する。信号符号化／復号化手段６２は受信信号を復号し、その復号化されたコマンドはコマンド処理手段６３に供給される。
【００２８】
コマンド処理手段６３は、表示手段６４からＰＪ６の解像度情報を取得できるようになっており、その解像度情報を信号符号化／復号化手段６２、通信送受信手段６１、ケーブル５を介して映像信号処理装置４に送ることができるようになっている。
【００２９】
コマンド処理手段６３は、またＰＪ６のリモートコントロール送信手段９からのリモートコントロール信号を受信手段１０で受けて、そのリモートコントロール信号の指示をコマンドとして処理し、ＰＪ６の種々の制御の他に、映像信号処理装置４へコマンドを供給する。そのリモコンによるコマンドには映像信号処理装置４にＯＳＤを生成させるコマンドや、映像信号発生手段に入力する信号源を選択するコマンド等がある。信号符号化／復号化手段６２は受信された信号のうち映像信号は復号化後、表示手段６４に供給される。
【００３０】
表示手段６４は、図示しない映像信号処理部、光源、光源からの照明光を映像信号処理部からの信号によって変調するＤＭＤ（Ｄｉｇｉｔａｌ  Ｍｉｃｒｏｍｉｒｒｏｒ  Ｄｅｖｉｃｅ）などの光変調素子、変調素子で変調された投写光を投写する投写光学系を含み、ＯＳＤが重畳される映像光をスクリーン７に拡大投写する。尚、映像信号処理装置４の映像信号発生手段４１、映像リサイズ手段４２、ＯＳＤメニュー生成手段４３、ＯＳＤメニュー表示サイズ変更手段４４、ＯＳＤメニュー重畳手段４５、信号変換手段４６、信号送受信手段４７、コマンド処理手段４８、映像／ＯＳＤサイズ決定手段４９は、１個ないし、それ以上の数のマイコン（マイクロコンピュータ）によって構成することができる。
【００３１】
次に本実施の形態の動作を図５および図６のフローチャートを参照しながら説明する。
【００３２】
図５は映像信号処理装置４によって、図３（ａ）に示すように投写された映像に対して適切な大きさのＯＳＤメニュー画面を発生するためのＯＳＤサイズ決定シーケンスを示している。このＯＳＤサイズ決定シーケンスは、例えば、以下のような条件（１）〜（４）がＯＳＤ変更トリガーとして与えられた場合に開始される。
（１）映像信号処理装置とＰＪとが接続された場合
（２）映像信号処理装置側の出力映像解像度の変更
（３）映像信号処理装置に入力している映像信号の変更
（４）映像信号処理装置が複数の映像信号源からの入力を持つ場合の入力切替え
（１）の場合は、映像信号処理装置とＰＪとが接続された際に、ＯＳＤサイズ決定シーケンスが必ず行われる。
【００３３】
（２）の場合は、映像信号処理装置とＰＪの電源がオンの状態で、例えば今接続しているＰＪとケーブルとの接続を外して、例えば解像度の異なる別のＰＪと接続するような場合である。
【００３４】
（３）の場合は、映像信号処理装置とＰＪの電源がオンの状態で、例えば映像信号処理装置に接続されたＰＣの解像度を変更した場合である。
【００３５】
（４）の場合は、映像信号処理装置とＰＪの電源がオンの状態で映像信号処理装置が入力の信号源を例えばＰＣからＤＶＤ再生装置に変更した場合である。
【００３６】
いま、上記（１）の場合の条件、すなわち、映像信号処理装置４とＰＪ６とが接続されるとＯＳＤ決定シーケンスが開始される。ここでいう接続とは映像信号処理装置４のメイン電源がオンの状態かつＰＪ６がスタンバイ（電源オンかつランプ消灯）の状態でケーブル５で接続している場合、ＰＪ６のリモコン９によって電源オンのコマンドがＰＪ６に送信されてＰＪ６がオンになることも含む。また、信号源としては、ＰＣ２を信号源として選択されている場合について例示的に説明する。
【００３７】
電源が投入されると、まず、映像信号処理装置４の映像信号発生手段４１は、ＰＣ２からの映像信号を取得する（Ｓ１）。次に映像信号発生手段４１は入力されている信号の解像度、垂直、水平周波数の解析、および、映像信号情報の解析を実施したうえで信号判別を行う（Ｓ２）。
【００３８】
ＰＪ６のコマンド処理手段６３は表示手段６４から当該ＰＪ６の解像度情報が入力され、コマンド処理手段６３はその解像度情報を信号符号化／復号化手段６２に供給され、そこでケーブル５で伝送するための符号化がされて通信送受信手段６１、ケーブル５を介して映像信号処理装置４に伝送される。
【００３９】
このＰＪ６の解像度情報は、信号送受信手段４７で受信された後、信号変換手段４６で復号化された後にコマンド処理手段４８に供給される。コマンド処理手段４８は入力されるＰＪ６の解像度情報を検出し、映像／ＯＳＤサイズ決定手段４９にＰＪ６の解像度の情報を供給し、これによってＰＪ６の解像度情報が取得されることになる（Ｓ３）。
【００４０】
ステップ３（Ｓ３）で取得したＰＪ６の解像度情報に基づき、ＰＪ６に対し出力すべき映像の解像度を取得した解像度に合致するように決定する（Ｓ４）。
【００４１】
また、ここでＰＪ６の解像度情報が取得できなかった場合は、解像度がＸＧＡ（１０２４ピクセル×７６８ピクセル）と置いて動作を行う。
【００４２】
次に映像／ＯＳＤサイズ決定手段４９は、入力されたＰＪ６の解像度情報に基づいて、ＰＪ６によって投写されたときに最適なＯＳＤの大きさになるようにＯＳＤサイズを決定する（Ｓ５）。
【００４３】
以上シーケンスにより、ＯＳＤサイズ決定シーケンスの処理が終了する。
【００４４】
次に上記シーケンスによって映像出力の準備が完了した後の映像出力のシーケンスについて図６のフローチャートを参照しつつ説明する。
【００４５】
ＯＳＤサイズ決定のシーケンスが終了すると、映像信号処理装置４は映像信号発生手段４１でＰＣ２からの映像信号を受信する（Ｓ６）。映像信号発生手段４１は受信した映像信号を映像リサイズ手段４２に供給する。
【００４６】
映像リサイズ手段４２は、入力された映像を先のＯＳＤサイズ決定のシーケンスで決定されたサイズにスケーリングすることによってリサイズする（Ｓ７）。
【００４７】
次に、ユーザーがリモコン送信手段９の操作によって、映像信号処理装置に関するメニュー表示の指示を行った場合、そのリモコン送信手段９からのコマンドはＰＪ６のコマンド処理手段６３に入力される。コマンド処理手段６３に入力された信号は、通信送受信手段６１、ケーブル５、映像信号処理装置４の信号送受信手段４７、信号変換手段４６を介してコマンド処理手段４８に入力される。
【００４８】
コマンド処理手段４８は受信したリモコン送信手段９のコマンドを受け、そのコマンドがＯＳＤメニュー画面を表示する指示であると判断されると（Ｓ８）、ＯＳＤメニュー生成手段４３にＯＳＤメニュー画面を生成するようにする（Ｓ９）。
【００４９】
ＯＳＤメニュー生成手段で生成されたＯＳＤメニュー画面は、ＯＳＤメニュー表示サイズ変更手段４４にてＯＳＤサイズ決定のシーケンスで決定されたサイズに変更された後、ＯＳＤメニュー重畳手段４５に供給され、そこで映像リサイズ手段４２からの映像信号にＯＳＤメニュー画面が重畳される（Ｓ１０）。
【００５０】
ステップ（Ｓ８）でＯＳＤメニュー表示する指示でないと判断されるとステップ（Ｓ９）およびステップ（Ｓ１０）は行われず、ステップ１１（Ｓ１１）に進む。
【００５１】
この後、ＯＳＤメニュー重畳手段４５でＯＳＤメニュー画面が重畳された映像信号、または重畳されない映像信号に対して、インターネットプロトコル信号が重畳される（Ｓ１１）。
【００５２】
その後、さらに音声信号が必要に応じて重畳され（Ｓ１２）、最後にシリアル制御信号が重畳される（Ｓ１３）。
【００５３】
これらの信号が重畳されると信号変換手段４６で符号化され、信号送受信手段４７、ケーブル５を介してＰＪ６の通信送受信手段６１に供給される。通信送受信手段６１で受信された信号は、信号符号化／復号化手段６２で復号され、映像信号は表示手段６４に供給される。これによって、映像信号上に適切な大きさのＯＳＤメニュー画面の表示がなされる。
【００５４】
本実施の形態ではＯＳＤ変更トリガーを映像信号処理装置とＰＪとが接続され電源が投入されて初期化処理が実施されることにしたことにより、初期設置時にユーザーが特別な操作をすることなく適切な大きさのＯＳＤメニュー画面を自動的に得ることができる。
【００５５】
また、本実施の形態では、ＯＳＤ変更トリガーは、映像信号処理装置とケーブルによって接続される投写表示装置の変更であることにしたことにより、投写表示装置を変更する毎に、ユーザーが特別な操作をすることなく適切な大きさのＯＳＤメニュー画面を自動的に得ることができる。
【００５６】
前記ケーブルは、さらにデジタル音声伝送手段と、インターネットプロトコル伝送手段とを備えるので、映像と合わせて音声の出力を可能とし、さらに、インターネットプロトコル（ＴＣＰ／ＩＰやＵＤＰなど）による通信を行うことも可能である。
【産業上の利用可能性】
【００５７】
本開示は、異なる解像度の投写表示装置に接続され、ＯＳＤ表示を行う信号処理装置を備える映像表示システムに適用可能である。
【符号の説明】
【００５８】
２  ＰＣ
４  映像信号処理装置
５  ケーブル
６  プロジェクター（投写表示装置）
４１  映像信号発生手段
４２  映像リサイズ手段
４３  ＯＳＤメニュー生成手段
４４  ＯＳＤメニュー表示サイズ変更手段
４５  ＯＳＤメニュー重畳手段
４６  信号変換手段
４７  信号送受信手段
４８  コマンド処理手段
５１  デジタル映像伝送手段
５４  シリアル制御コマンド伝送手段
６１  通信送受信手段
６２  信号符号化／復号化手段
６３  コマンド処理手段
６４  表示手段
【図１】
2013258451.tif 000003
【図２】
2013258451.tif 000004
【図３】
2013258451.tif 000005
【図４】
2013258451.tif 000006
【図５】
2013258451.tif 000007
【図６】
2013258451.tif 000008